(57)【要約】【課題】通信圏外の通信端末装置との通話を希望する者が、通信端末装置の持ち主がどこへ向かったのか、または現在どの辺りにいるのかを推測すること。【解決手段】時刻・位置情報記憶部１０４は、時刻情報及び位置情報を記憶する。圏外判定部１０５は、位置情報が受信信号に含まれていない場合で且つ通信端末装置の位置が特定できない旨の情報である端末情報が他の基地局装置から上位局経由にて入力した場合に接続要求先の通信端末装置が通信圏外に居るものと判定する。移動状態推定部１０６は、接続要求先の通信端末装置が通信圏外に居るものと判定された場合に、時刻情報と位置情報とに基づいて、通信圏外へ移動後の移動状態を推定する。外部出力部１０８は、端末情報を出力して接続要求元の通知端末装置に対して、接続要求先の移動状態の情報を通知する。【選択図】図１
2007116330.tif 000002
【特許請求の範囲】
【請求項１】
時刻の情報である時刻情報と前記時刻情報の各時刻における通信端末装置の位置の情報である位置情報を取得する取得手段と、
前記取得手段にて取得された前記時刻情報と前記位置情報とを記憶する記憶手段と、
前記位置情報により通信端末装置の位置が特定できない場合に通信端末装置が通信圏外に居るものと判定する圏外判定手段と、
前記圏外判定手段にて通信圏外と判定された通信端末装置の前記記憶手段に記憶されている前記時刻情報と前記位置情報とから通信圏外に移動後の移動状態を推定する移動状態推定手段と、
前記通信圏外と判定された通信端末装置との接続を要求する他の通信端末装置に対して前記移動状態の情報を通知する通知手段と、
を具備する基地局装置。
【請求項２】
前記通信圏外と判定された通信端末装置が通信圏外に移動する直前にセル端に存在していたか否かを前記位置情報に基づいて判定するセル端判定手段を具備し、
前記通知手段は、前記セル端判定手段にてセル端に存在していたと判定された場合に前記移動状態の情報を通知する請求項１記載の基地局装置。
【請求項３】
前記圏外判定手段にて通信圏外と判定されてからの時間を計測する経過時間測定手段を具備し、
前記通知手段は、前記経過時間測定手段にて計測した時間が第一しきい値以上の場合に前記移動状態の情報を通知する請求項１または請求項２記載の基地局装置。
【請求項４】
前記第一しきい値を可変にて設定する経過時間設定手段を具備し、
前記通知手段は、前記経過時間測定手段にて計測した時間が前記経過時間設定手段で設定された前記第一しきい値以上の場合に前記移動状態の情報を通知する請求項３記載の基地局装置。
【請求項５】
前記経過時間測定手段にて計測された時間に応じたメッセージを作成するメッセージ作成手段を具備し、
前記通知手段は、前記メッセージ作成手段にて作成されたメッセージを通知する請求項３または請求項４記載の基地局装置。
【請求項６】
前記経過時間測定手段にて計測された時間が第二しきい値以上の場合に警告信号を生成する警告信号生成手段を具備し、
前記通知手段は、前記通信圏外と判定された通信端末装置に対して前記警告信号にて警告する請求項３から請求項５のいずれかに記載の基地局装置。
【請求項７】
前記移動経路の情報を通知しても良い相手をあらかじめ記憶する通知先記憶手段を具備し、
前記通知手段は、前記通知先記憶手段に記憶されている通知先に対して前記移動状態の情報を通知する請求項１から請求項６のいずれかに記載の基地局装置。
【請求項８】
前記経過時間測定手段にて測定された時間と前記移動状態の情報とに基づいて通信端末装置の最新の位置を推定する最新位置推定手段を具備し、
前記通知手段は、前記最新位置推定手段にて推定された最新の位置の情報を通知する請求項３から請求項７のいずれかに記載の基地局装置。
【請求項９】
前記圏外判定手段にて通信圏外と判定された場合でかつ周辺セル情報の位置がセル端から遠い場合には電源オフと判断する状態判定手段を具備し、
前記通知手段は、前記状態判定手段にて電源オフと判定された場合に電源オフの情報を通知する請求項１から請求項８のいずれかに記載の基地局装置。
【請求項１０】
前記通知手段にて前記移動状態の情報及び前記電源オフの情報の両方を通知する場合と前記電源オフの情報のみを通知する場合とを切り換える電源オフ時設定手段を具備する請求項９記載の基地局装置。
【請求項１１】
前記通知手段は、前記通知手段にて前記移動状態の情報及び前記電源オフの情報の両方を通知する場合及び前記電源オフの情報のみを通知する場合のいずれであるかの情報を通信端末装置に通知する請求項１０記載の基地局装置。
【請求項１２】
受信電力を測定する受信電力測定手段を具備し、
前記移動状態推定手段は、前記記憶手段に記憶されている前記時刻情報と前記位置情報と前記受信電力測定手段にて測定された受信電力とに基づいて移動状態を推定する請求項１から請求項１１のいずれかに記載の基地局装置。
【請求項１３】
所定の指向性を設定して信号を受信する指向性制御手段と、
前記指向性制御手段にて設定された指向性の情報である指向性アンテナ情報を記憶する指向性アンテナ情報記憶手段とを具備し、
前記移動状態推定手段は、前記記憶手段に記憶されている前記時刻情報と前記位置情報と前記指向性アンテナ情報記憶手段に記憶されている前記指向性アンテナ情報とに基づいて移動状態を推定する請求項１から請求項１１のいずれかに記載の基地局装置。
【請求項１４】
時刻の情報である時刻情報と前記時刻情報の各時刻における通信端末装置の位置の情報である位置情報を取得するステップと、
取得された前記時刻情報と前記位置情報とをメモリに記憶するステップと、
前記位置情報により通信端末装置の位置が特定できない場合に通信端末装置が通信圏外に居るものと判定するステップと、
通信圏外と判定された通信端末装置の前記メモリに記憶されている前記時刻情報と前記位置情報とから通信圏外に移動後の移動方向を推定するステップと、
通信圏外と判定された通信端末装置との接続を要求する他の通信端末装置に対して前記移動方向の情報を通知するステップと、
を具備する通信端末装置の移動方向通知方法。
【発明の詳細な説明】
【技術分野】
【０００１】
本発明は、基地局装置及び通信端末装置の移動方向通知方法に関し、例えば通信圏外に移動後の通信端末装置の移動方向の情報を他の通信端末装置に提供する基地局装置及び通信端末装置の移動方向通知方法に関する。
【背景技術】
【０００２】
従来、携帯電話の位置情報と、発信時、着信時及び通信しながらの移動時に使用した基地局情報とを位置情報として交換機から外部装置に出力し、外部装置からの要求で基地局装置が他の携帯電話に無鳴動着信を行って携帯電話の位置を出力するものが知られている（例えば、特許文献１）。また、無鳴動着信時、携帯電話が通信圏外にいるときは、交換機の記憶装置内に格納された位置情報を登録時刻とともに外部装置に出力する。これにより、携帯電話が通信圏外に移動した場合、最後の位置情報に加えて、そのときの時間の情報も記憶しておき、位置情報とともに知ることができる。
【特許文献１】特開２００１−２５０５６号公報
【発明の開示】
【発明が解決しようとする課題】
【０００３】
しかしながら、従来の装置においては、通信圏外の携帯電話との通話を希望する者は、携帯電話の持ち主がどこへ向かったのか、または現在どの辺りにいるのかがわからないという問題がある。電源を意図的にＯＦＦにした場合は問題ないが、遭難や事故等で連絡をとりたいのに取れない状況の場合に、捜索する側は最終地点からどこへいったのかわからないために探すのに困難であるという問題がある。
【０００４】
本発明はかかる点に鑑みてなされたものであり、通信圏外の通信端末装置との通話を希望する者が、通信端末装置の持ち主がどこへ向かったのか、または現在どの辺りにいるのかを推測することができる基地局装置及び通信端末装置の移動方向通知方法を提供することを目的とする。
【課題を解決するための手段】
【０００５】
本発明の基地局装置は、時刻の情報である時刻情報と前記時刻情報の各時刻における通信端末装置の位置の情報である位置情報を取得する取得手段と、前記取得手段にて取得された前記時刻情報と前記位置情報とを記憶する記憶手段と、前記位置情報により通信端末装置の位置が特定できない場合に通信端末装置が通信圏外に居るものと判定する圏外判定手段と、前記圏外判定手段にて通信圏外と判定された通信端末装置の前記記憶手段に記憶されている前記時刻情報と前記位置情報とから通信圏外に移動後の移動状態を推定する移動状態推定手段と、前記通信圏外と判定された通信端末装置との接続を要求する他の通信端末装置に対して前記移動状態の情報を通知する通知手段と、を具備する構成を採る。
【０００６】
本発明の通信端末装置の移動方向通知方法は、時刻の情報である時刻情報と前記時刻情報の各時刻における通信端末装置の位置の情報である位置情報を取得するステップと、取得された前記時刻情報と前記位置情報とをメモリに記憶するステップと、前記位置情報により通信端末装置の位置が特定できない場合に通信端末装置が通信圏外に居るものと判定するステップと、通信圏外と判定された通信端末装置の前記メモリに記憶されている前記時刻情報と前記位置情報とから通信圏外に移動後の移動方向を推定するステップと、通信圏外と判定された通信端末装置との接続を要求する他の通信端末装置に対して前記移動方向の情報を通知するステップと、を具備するようにした。
【発明の効果】
【０００７】
本発明によれば、通信圏外の通信端末装置との通話を希望する者が、通信端末装置の持ち主がどこへ向かったのか、または現在どの辺りにいるのかを推測することができる。
【発明を実施するための最良の形態】
【０００８】
以下、本発明の実施の形態について、図面を参照して詳細に説明する。
【０００９】
（実施の形態１）
図１は、本発明の実施の形態１に係る基地局装置１００の構成を示すブロック図である。
【００１０】
アンテナ１０１は、信号を受信して無線部１０２へ出力する。
【００１１】
無線部１０２は、アンテナ１０１から入力した受信信号を無線周波数からベースバンド周波数にダウンコンバートして時刻・位置情報抽出部１０３へ出力する。
【００１２】
時刻・位置情報抽出部１０３は、無線部１０２から入力した受信信号に含まれている通信端末装置の位置を測定した時刻の情報である時刻情報を抽出して、抽出した時刻情報を時刻・位置情報記憶部１０４へ出力する。また、時刻・位置情報抽出部１０３は、無線部１０２から入力した受信信号に含まれている、時刻情報の各時刻における通信端末装置の位置の情報である位置情報を抽出して、抽出した位置情報を時刻・位置情報記憶部１０４へ出力する。また、時刻・位置情報抽出部１０３は、無線部１０２から入力した受信信号に位置情報が含まれていない場合には、位置情報が含まれていない旨の情報を圏外判定部１０５へ出力する。
【００１３】
時刻・位置情報記憶部１０４は、時刻・位置情報抽出部１０３から入力した時刻情報及位置情報を記憶する。そして、時刻・位置情報記憶部１０４は、時刻情報及び位置情報の出力を圏外判定部１０５から指示された場合に、記憶している時刻情報及び位置情報を移動状態推定部１０６へ出力する。この場合、時刻・位置情報記憶部１０４は、記憶している時刻情報及び位置情報の内、同一の通信端末装置について、最新の時刻の時刻情報及び最新の時刻における位置情報から順次時間を遡った複数の時刻情報及び位置情報を移動状態推定部１０６へ出力する。
【００１４】
圏外判定部１０５は、位置情報により接続要求先の通信端末装置の位置が特定できない場合、即ち時刻・位置情報抽出部１０３から位置情報が含まれていない旨の情報が入力した場合で且つ通信端末装置の位置が特定できない旨の情報である基地局情報が他の基地局装置から上位局経由にて入力した場合には、通信端末装置が通信圏外に居るものと判断して、時刻・位置情報記憶部１０４に対して時刻情報及び位置情報の出力を指示する。
【００１５】
移動状態推定部１０６は、時刻・位置情報記憶部１０４から入力した複数の時刻情報及び複数の位置情報に基づいて、通信端末装置が通信圏外に移動した後の移動状態を推定する。そして、移動状態推定部１０６は、推定した移動状態の情報である端末情報を端末情報記憶部１０７へ出力する。ここで、移動状態とは、通信圏外に移動した後の移動経路、移動方向または位置等である。
【００１６】
端末情報記憶部１０７は、移動状態推定部１０６から入力した端末情報を記憶する。そして、端末情報記憶部１０７は、通信圏外に居る通信端末装置との通信を希望する他の通信端末装置から、通信圏外に居る通信端末装置との通信を要求する接続要求信号が入力した場合に、記憶している該当する通信端末装置の端末情報を外部出力部１０８へ出力する。
【００１７】
外部出力部１０８は、端末情報記憶部１０７から入力した端末情報を出力する。外部出力部１０８から出力された端末情報は、図示しない送信手段を用いて他の通信端末装置へ通知されることにより、他の通信端末装置は通信圏外に居る通信端末装置の移動状態を推定することができる。
【００１８】
次に、基地局装置１００の動作について説明する。最初に、基地局装置１００は、時刻・位置情報抽出部１０３にて、時刻情報及び位置情報を抽出して、時刻・位置情報記憶部１０４にて、抽出した時刻情報及び位置情報を記憶する。一方、基地局装置１００は、位置情報が受信信号に含まれていない場合で且つ通信端末装置の位置が特定できない旨の情報である基地局情報が他の基地局装置から制御局等の上位局経由にて入力した場合には、圏外判定部１０５にて、通信端末装置は通信圏外に居るものと判断する。そして、圏外判定部１０５は、時刻・位置情報記憶部１０４に対して、記憶している時刻情報及び位置情報を出力するように指示し、時刻・位置情報記憶部１０４は、記憶している時刻情報及び位置情報を出力する。
【００１９】
次に、基地局装置１００は、移動状態推定部１０６にて、時刻情報及び位置情報に基づいて移動状態を推定する。そして、基地局装置１００は、外部出力部１０８より、端末情報を出力する。
【００２０】
図２は、従来の基地局装置と本実施の形態１の基地局装置１００との相違を示す図である。
【００２１】
このように、本実施の形態１によれば、位置情報及び時刻情報に基づいて移動状態を推定して通知するので、通信圏外の通信端末装置との通話を希望する者は、通信端末装置の持ち主がどこへ向かったのか、または現在どの辺りにいるのかを推測することができる。
【００２２】
（実施の形態２）
図３は、本発明の実施の形態２に係る基地局装置３００の構成を示すブロック図である。
【００２３】
本実施の形態２に係る基地局装置３００は、図１に示す実施の形態１に係る基地局装置１００において、図３に示すように、セル端判定部３０１、経過時間測定部３０２、経過時間判定部３０３、通知先記憶部３０４及び警告信号生成部３０５を追加する。なお、図３においては、図１と同一構成である部分には同一の符号を付してその説明は省略する。
【００２４】
時刻・位置情報抽出部１０３は、無線部１０２から入力した受信信号に含まれている時刻情報を抽出して、抽出した時刻情報を時刻・位置情報記憶部１０４へ出力する。また、時刻・位置情報抽出部１０３は、無線部１０２から入力した受信信号に含まれている位置情報を抽出して、抽出した位置情報を時刻・位置情報記憶部１０４へ出力する。また、時刻・位置情報抽出部１０３は、無線部１０２から入力した受信信号に位置情報が含まれていない場合には、位置情報が含まれていない旨の情報を圏外判定部１０５へ出力する。さらに、時刻・位置情報抽出部１０３は、抽出した位置情報をセル端判定部３０１へ出力する。
【００２５】
圏外判定部１０５は、時刻・位置情報抽出部１０３から位置情報が含まれていない旨の情報が入力した場合で且つ通信端末装置の位置が特定できない旨の情報である基地局情報が他の基地局装置から上位局経由にて入力した場合には、通信端末装置が通信圏外に居るものと判断して、時刻・位置情報記憶部１０４に対して時刻情報及び位置情報の出力を指示するとともに、通信圏外である旨の情報をセル端判定部３０１へ出力する。
【００２６】
セル端判定部３０１は、圏外判定部１０５から通信圏外である旨の情報が入力した場合に、時刻・位置情報抽出部１０３から入力した位置情報の内で最後に入力した位置情報の位置がセル端であるか否かを判定する。そして、セル端判定部３０１は、セル端であると判定した場合に、経過時間測定部３０２に対して、時間の計測の開始を指示する。
【００２７】
経過時間測定部３０２は、セル端判定部３０１の指示により時間を計測して、計測結果を経過時間判定部３０３及び警告信号生成部３０５へ出力する。
【００２８】
経過時間判定部３０３は、経過時間測定部３０２から入力した計測結果の計測時間としきい値（第一しきい値）とを比較して、計測時間がしきい値以上であるか否か、即ち接続要求先の通信端末装置が通信圏外へ移動してから所定時間経過したか否かを判定し、所定時間経過した場合には、所定時間経過した旨の情報を外部出力部１０８へ出力する。
【００２９】
通知先記憶部３０４は、接続要求先の通信端末装置が自分の端末情報を通知しても良い通知先をあらかじめ記憶している。
【００３０】
警告信号生成部３０５は、経過時間測定部３０２から入力した計測結果より、計測した時間がしきい値（第二しきい値）以上の場合には、警告信号を生成して外部出力部１０８へ出力する。計測した時間と比較するしきい値は、固定した値でも良いし、可変にて任意に設定した値でも良い。ここで、警告信号としては、例えば接続要求元の通信端末装置に対して音、光または振動にて警告するための信号である。
【００３１】
外部出力部１０８は、経過時間判定部３０３から所定時間経過した旨の情報が入力した場合でかつ接続を要求してきた通知先が通知先記憶部３０４に通知先として記憶されている場合に、端末情報記憶部１０７から入力した端末情報及び警告信号生成部３０５から入力した警告信号を出力する。一方、外部出力部１０８は、経過時間判定部３０３から所定時間経過した旨の情報が入力しない場合または接続要求元の通信端末装置が通知先記憶部３０４に通知先として記憶されていない場合には、端末情報記憶部１０７から入力した端末情報及び警告信号生成部３０５から入力した警告信号を出力しない。
【００３２】
次に、基地局装置３００の動作について説明する。最初に、基地局装置３００は、時刻・位置情報抽出部１０３にて、時刻情報及び位置情報を抽出して、時刻・位置情報記憶部１０４にて、抽出した時刻情報及び位置情報を記憶する。一方、基地局装置３００は、位置情報が受信信号に含まれていない場合で且つ通信端末装置の位置が特定できない旨の情報である基地局情報が他の基地局装置から制御局等の上位局経由にて入力した場合には、圏外判定部１０５にて、通信端末装置は通信圏外に居るものと判断する。そして、圏外判定部１０５は、時刻・位置情報記憶部１０４に対して、記憶している時刻情報及び位置情報を出力するように指示し、時刻・位置情報記憶部１０４は、記憶している時刻情報及び位置情報を出力する。そして、基地局装置３００は、移動状態推定部１０６にて、時刻情報及び位置情報に基づいて移動状態を推定する。
【００３３】
また、基地局装置３００は、セル端判定部３０１にて、通信圏外になる直前の位置がセル端であるか否かを判定し、セル端であると判定した場合には時間の計測の開始を指示する。次に、基地局装置３００は、経過時間測定部３０２にて、接続要求先の通信端末装置が通信圏外と判定されてからの時間を計測し、経過時間判定部３０３にて、計測時間がしきい値以上であるか否かを判定する。また、基地局装置３００は、計測時間がしきい値以上の場合には、警告信号生成部３０５にて、警告信号を生成する。そして、基地局装置３００は、所定時間経過した場合でかつ接続要求元の通信端末装置が通知先として通知先記憶部３０４に記憶されている場合に、外部出力部１０８より、端末情報及び警告信号を出力する。
【００３４】
図４は、Ｐ子さんが車で移動することにより、Ｐ子さんの所有している通信端末装置が通信圏内から通信圏外へ移動する様子を示す図である。図４より、例えば現時点でＰ子さんが通信圏外に居るものとすると、基地局装置３００は、時刻・位置情報記憶部１０４にて、○月△日×時◇分にセルＡに居たことを記憶している。そして、基地局装置３００は、移動状態推定部１０６にて、過去の時刻情報及び位置情報に基づいて、Ｐ子さんはセルＤ→セルＢ→セルＡ→通信圏外の経路にて移動したことを推定する。これより、移動状態推定部１０６は、Ｐ子さんの予測経路として、セルＡより南西方向に移動したものと推定することができる。また、基地局装置３００は、セル端判定部３０１にて、位置情報に基づいてＰ子さんが○月△日×時◇分にセルＡのセル端に居たものと判定し、Ｐ子さんはセル端から通信圏外に移動したものと判定する。したがって、接続要求元の通信端末装置にて、接続要求先であるＰ子さんの通信端末装置の番号（０９０−ＸＸＸＸ−△△△△）をダイヤルした場合に、「Ｐ子さんはＩ県Ｋ群の山中を南西方向に向かったのではと予測されます」というアナウンスが流されて、Ｐ子さんがどこへ向かったのかを知ることができる。
【００３５】
このように、本実施の形態２によれば、上記実施の形態１の効果に加えて、通信圏外に移動する直前にセル端に居た場合に移動状態の情報を通知するので、意図的に電源オフしたことにより通信圏外と判定された場合に、他人に不用意に現在地を知られることを防ぐことができる。また、本実施の形態２によれば、あらかじめ記憶している接続要求元の通信端末装置に対してのみ移動状態の情報を通知するので、移動状態の情報を知られたくない接続要求元に不用意に現在地を知られることを防ぐことができる。また、本実施の形態２によれば、接続要求先の通信端末装置が通信圏外に移動したものと判定した後の所定時間経過後に移動状態の情報を通知するので、接続要求先の通信端末装置が一時的に通信圏外に移動してすぐに通信圏内に戻ったような場合、例えば移動状態の情報を通知するほどには逼迫した状況でない場合に、移動状態の情報を通知することによる煩わしさをなくすることができる。
【００３６】
なお、本実施の形態２において、警告信号生成部３０５にて警告信号を生成したが、これに限らず、警告信号生成部３０５を削除しても良い。また、本実施の形態２において、経過時間測定部３０２で計測した時間が所定時間経過した場合に移動状態の情報を通知するようにしたが、これに限らず、経過時間測定部３０２及び経過時間判定部３０３を削除して、経過時間とは無関係に移動状態の情報を通知するようにしても良い。また、本実施の形態２において、あらかじめ記憶されている接続要求元の通信端末装置に対してのみに移動状態の情報を通知するようにしたが、これに限らず、通知先記憶部３０４を削除して全ての接続要求元の通信端末装置に移動状態の情報を通知するようにしても良い。
【００３７】
（実施の形態３）
図５は、本発明の実施の形態３に係る基地局装置５００の構成を示すブロック図である。
【００３８】
本実施の形態３に係る基地局装置５００は、図３に示す実施の形態２に係る基地局装置３００において、図５に示すように、しきい値設定部５０１を追加する。なお、図５においては、図３と同一構成である部分には同一の符号を付してその説明は省略する。
【００３９】
しきい値設定部５０１は、任意のしきい値を可変にて設定することができる。そして、しきい値設定部５０１は、設定したしきい値の情報を経過時間判定部３０３へ出力する。
【００４０】
経過時間判定部３０３は、経過時間測定部３０２から入力した計測結果の計測時間と、しきい値設定部５０１にて設定したしきい値とを比較して、計測時間がしきい値以上であるか否か、即ち接続要求先の通信端末装置が通信圏外へ移動してから所定時間経過したか否かを判定し、所定時間経過した場合には、所定時間経過した旨の情報を外部出力部１０８へ出力する。なお、基地局装置５００の動作は、上記実施の形態２の基地局装置３００の動作と同一であるので、その説明は省略する。
【００４１】
このように、本実施の形態３によれば、上記実施の形態２の効果に加えて、あらかじめ設定する経過時間を可変にすることができるので、通信端末装置の持ち主がどこへ向かったかの情報等を接続対象の通信端末装置の所有者の行動パターンに合わせて柔軟なタイミングにてアナウンスすることができる。
【００４２】
なお、本実施の形態３において、経過時間測定部３０２で計測した時間が所定時間経過した場合に移動状態の情報を通知するようにしたが、これに限らず、経過時間測定部３０２及び経過時間判定部３０３を削除して、経過時間とは無関係に移動状態の情報を通知するようにしても良い。また、本実施の形態３において、あらかじめ記憶されている接続要求元の通信端末装置に対してのみに移動状態の情報を通知するようにしたが、これに限らず、通知先記憶部３０４を削除して全ての接続要求元の通信端末装置に移動状態の情報を通知するようにしても良い。
【００４３】
（実施の形態４）
図６は、本発明の実施の形態４に係る基地局装置６００の構成を示すブロック図である。
【００４４】
本実施の形態４に係る基地局装置６００は、図３に示す実施の形態２に係る基地局装置３００において、図６に示すように、最新位置推定部６０１を追加する。なお、図６においては、図３と同一構成である部分には同一の符号を付してその説明は省略する。
【００４５】
端末情報記憶部１０７は、移動状態推定部１０６から入力した端末情報を記憶する。そして、端末情報記憶部１０７は、通信圏外に居る通信端末装置との通信を希望する他の通信端末装置から、通信圏外に居る通信端末装置との通信を要求する接続要求信号が入力した場合に、記憶している該当する通信端末装置の端末情報を外部出力部１０８及び最新位置推定部６０１へ出力する。
【００４６】
経過時間判定部３０３は、経過時間測定部３０２から入力した計測結果の計測時間としきい値とを比較して、計測時間がしきい値以上であるか否か、即ち接続要求先の通信端末装置が通信圏外へ移動してから所定時間経過したか否かを判定する。そして、経過時間判定部３０３は、所定時間経過した場合には、所定時間経過した旨の情報、及び経過時間の情報、即ち接続対象の通信端末装置がセル端から通信圏外へ移動してからの経過時間の情報を最新位置推定部６０１へ出力する。
【００４７】
最新位置推定部６０１は、経過時間判定部３０３から入力した経過時間の情報と端末情報記憶部１０７から入力した端末情報に基づいて、接続対象の通信端末装置が現在居る最新の位置を推定する。そして、最新位置推定部６０１は、経過時間判定部３０３から入力した所定時間経過した旨の情報とともに、推定した接続対象の通信端末装置が現在居る最新の位置の情報である最新位置情報を外部出力部１０８へ出力する。
【００４８】
外部出力部１０８は、経過時間判定部３０３から所定時間経過した旨の情報が入力した場合でかつ接続を要求してきた通知先が通知先記憶部３０４に通知先として記憶されている場合に、端末情報記憶部１０７から入力した端末情報、最新位置推定部６０１から入力した最新位置情報及び警告信号生成部３０５から入力した警告信号を出力する。一方、外部出力部１０８は、最新位置推定部６０１から所定時間経過した旨の情報が入力しない場合または接続要求元の通信端末装置が通知先記憶部３０４に通知先として記憶されていない場合には、端末情報記憶部１０７から入力した端末情報、最新位置推定部６０１から入力した最新位置情報及び警告信号生成部３０５から入力した警告信号を出力しない。なお、基地局装置６００の動作は、接続要求先の通信端末装置が現在居る位置を推定して最新位置情報を出力する以外は上記実施の形態２の基地局装置３００の動作と同一であるので、その説明は省略する。
【００４９】
このように、本実施の形態４によれば、上記実施の形態２の効果に加えて、最新位置情報を接続要求元の通信端末装置に通知するので、最新位置情報を通知された通信端末装置は、接続要求先の通信端末装置の現在位置を精度良く知ることができる。
【００５０】
なお、本実施の形態４において、警告信号生成部３０５にて警告信号を生成したが、これに限らず、警告信号生成部３０５を削除しても良い。また、本実施の形態４において、経過時間測定部３０２で計測した時間が所定時間経過した場合に移動状態の情報を通知するようにしたが、これに限らず、経過時間測定部３０２及び経過時間判定部３０３を削除して、経過時間とは無関係に移動状態の情報を通知するようにしても良い。また、本実施の形態４において、あらかじめ記憶されている接続要求元の通信端末装置に対してのみに移動状態の情報を通知するようにしたが、これに限らず、通知先記憶部３０４を削除して全ての接続要求元の通信端末装置に移動状態の情報を通知するようにしても良い。
【００５１】
（実施の形態５）
図７は、本発明の実施の形態５に係る基地局装置７００の構成を示すブロック図である。
【００５２】
本実施の形態５に係る基地局装置７００は、図１に示す実施の形態１に係る基地局装置１００において、図７に示すように、周辺セル情報抽出部７０１、ユーザの状態判定部７０２及び電源ＯＦＦ情報生成部７０３を追加する。なお、図７においては、図１と同一構成である部分には同一の符号を付してその説明は省略する。
【００５３】
時刻・位置情報抽出部１０３は、無線部１０２から入力した受信信号に含まれている時刻情報を抽出して、抽出した時刻情報を時刻・位置情報記憶部１０４へ出力する。また、時刻・位置情報抽出部１０３は、無線部１０２から入力した受信信号に含まれている位置情報を抽出して、抽出した位置情報を時刻・位置情報記憶部１０４へ出力する。また、時刻・位置情報抽出部１０３は、無線部１０２から入力した受信信号に位置情報が含まれていない場合には、位置情報が含まれていない旨の情報を周辺セル情報抽出部７０１へ出力する。そして、時刻・位置情報抽出部１０３は、受信信号に時刻情報及び位置情報が含まれている場合には時刻情報及び位置情報を抽出した後の受信信号を周辺セル情報抽出部７０１へ出力し、受信信号に時刻情報及び位置情報が含まれていない場合には無線部１０２から入力した受信信号をそのまま周辺セル情報抽出部７０１へ出力する。
【００５４】
周辺セル情報抽出部７０１は、時刻・位置情報抽出部１０３から入力した受信信号に含まれている、接続要求先の通信端末装置が通信圏外に近いか否かの情報である周辺セル情報を抽出して圏外判定部１０５へ出力する。また、周辺セル情報抽出部７０１は、位置情報が含まれていない旨の情報が時刻・位置情報抽出部１０３から入力した場合には、入力した位置情報が含まれていない旨の情報をそのまま圏外判定部１０５へ出力する。ここで、周辺セル情報とは、例えば通信端末装置の登録位置情報である。
【００５５】
圏外判定部１０５は、周辺セル情報抽出部７０１から位置情報が含まれていない旨の情報が入力した場合で且つ通信端末装置の位置が特定できない旨の情報である基地局情報が他の基地局装置から制御局等の上位局経由にて入力した場合には、周辺セル情報抽出部７０１から入力した周辺セル情報をユーザの状態判定部７０２へ出力する。
【００５６】
ユーザの状態判定部７０２は、圏外判定部１０５から入力した周辺セル情報に基づいて、接続要求先の通信端末装置が通信圏外に居るのかまたは電源をＯＦＦにしたのかを判定する。即ち、ユーザの状態判定部７０２は、圏外判定部１０５から入力した周辺セル情報がセル内の通信圏外に近い場所に居る情報である場合には通信圏外に居るものと判断し、圏外判定部１０５から入力した周辺セル情報がセル内の通信圏外から遠い場所に居る情報である場合には電源をＯＦＦにしたものと判断する。そして、ユーザの状態判定部７０２は、接続対象の通信端末装置が通信圏外に居るものと判断した場合に、時刻・位置情報記憶部１０４に対して時刻情報及び位置情報の出力を指示し、電源をＯＦＦにしたものと判断した場合に、電源ＯＦＦ情報生成部７０３に対して、電源をＯＦＦにしている旨の情報である電源ＯＦＦ情報を生成するように指示する。
【００５７】
時刻・位置情報記憶部１０４は、時刻・位置情報抽出部１０３から入力した時刻情報及び位置情報を記憶する。そして、時刻・位置情報記憶部１０４は、時刻情報及び位置情報の出力をユーザの状態判定部７０２から指示された場合に、記憶している時刻情報及び位置情報を移動状態推定部１０６へ出力する。この場合、時刻・位置情報記憶部１０４は、記憶している時刻情報及び位置情報の内、同一の通信端末装置について、最新の時刻の時刻情報及び最新の時刻における位置情報から順次時間を遡った複数の時刻情報及び位置情報を移動状態推定部１０６へ出力する。
【００５８】
電源ＯＦＦ情報生成部７０３は、ユーザの状態判定部７０２から電源ＯＦＦ情報の生成を指示された場合に電源ＯＦＦ情報を生成する。そして、電源ＯＦＦ情報生成部７０３は、接続要求信号が入力した場合に、生成した電源ＯＦＦ情報を外部出力部１０８へ出力する。
【００５９】
外部出力部１０８は、端末情報記憶部１０７から入力した端末情報を出力する。外部出力部１０８から出力された端末情報は、図示しない送信手段を用いて接続要求元の通信端末装置へ送信されることにより、接続要求元の通信端末装置は通信圏外に居る通信端末装置の移動状態を推定することができる。また、外部出力部１０８は、電源ＯＦＦ情報生成部７０３から入力した電源ＯＦＦ情報を出力する。外部出力部１０８から出力された電源ＯＦＦ情報は、図示しない送信手段を用いて接続要求元の通信端末装置へ送信されることにより、接続要求元の通信端末装置は接続要求先の通信端末装置が電源をＯＦＦにしていることを知ることができる。
【００６０】
次に、基地局装置７００の動作について説明する。最初に、基地局装置７００は、時刻・位置情報抽出部１０３にて、時刻情報及び位置情報を抽出して、時刻・位置情報記憶部１０４にて、抽出した時刻情報及び位置情報を記憶する。また、基地局装置７００は、周辺セル情報抽出部７０１にて、受信信号に含まれている周辺セル情報を抽出する。一方、基地局装置７００は、位置情報が受信信号に含まれていない場合には、通信端末装置が通信圏外に居る可能性があるため、圏外判定部１０５からユーザの状態判定部７０２へ周辺セル情報を出力する。
【００６１】
次に、基地局装置７００は、ユーザの状態判定部７０２にて、周辺セル情報がセル内の通信圏外に近い場所に居る情報である場合には通信圏外に居るものと判断し、時刻・位置情報記憶部１０４に対して、記憶している時刻情報及び位置情報を出力するように指示し、時刻・位置情報記憶部１０４は、記憶している時刻情報及び位置情報を出力する。そして、基地局装置７００は、移動状態推定部１０６にて、時刻情報及び位置情報に基づいて移動状態を推定する。一方、基地局装置７００は、ユーザの状態判定部７０２にて、圏外判定部１０５から入力した周辺セル情報がセル内の通信圏外から遠い場所に居る情報である場合には電源をＯＦＦにしたものと判断し、電源ＯＦＦ情報生成部７０３にて、電源ＯＦＦ情報を生成する。
【００６２】
次に、基地局装置７００は、外部出力部１０８より、端末情報または電源ＯＦＦ情報を出力する。
【００６３】
図８は、従来の基地局装置と本実施の形態５の基地局装置７００との相違を示す図である。
【００６４】
因みに、従来は、通信圏内で電源を意図的にＯＦＦにしたのか、または通信圏外の位置に移動したから通じないのかの判断がつかないため、電源を意図的にＯＦＦにした場合において、不用意に位置情報を知られてしまう恐れがあった。即ち、電源を意図的にＯＦＦにした場合には、海外旅行に行く場合や嫌な人から逃れるため等の位置情報を伝えたくない場合が多いと考えられる。一方、通信圏外に入ってしまった場合は、他人と連絡をとりたいが、自分の携帯電話がつながらないため、連絡を取れず、自分を探して欲しいということが多い。また、位置情報を報知するために、パスワード等による管理も考えられるが、その場合には緊急時にパスワード等を教えた人間にしか位置情報は伝わらないという問題がある。本実施の形態５は、これらの従来の問題を解決することができる。
【００６５】
このように、本実施の形態５によれば、上記実施の形態１の効果に加えて、接続要求先の通信端末装置が電源ＯＦＦにしている場合には電源ＯＦＦ情報を通知するようにしたので、意図的に電源をＯＦＦにした場合には現在地を知られないようにすることができる。
【００６６】
（実施の形態６）
図９は、本発明の実施の形態６に係る基地局装置９００の構成を示すブロック図である。
【００６７】
本実施の形態６に係る基地局装置９００は、図１に示す実施の形態１に係る基地局装置１００において、図９に示すように、周辺セル情報抽出部９０１、ユーザの状態判定部９０２、電源ＯＦＦ情報生成部９０３、電源ＯＦＦ時設定部９０４及び設定状態情報生成部９０５を追加する。なお、図９においては、図１と同一構成である部分には同一の符号を付してその説明は省略する。
【００６８】
時刻・位置情報抽出部１０３は、無線部１０２から入力した受信信号に含まれている時刻情報を抽出して、抽出した時刻情報を時刻・位置情報記憶部１０４へ出力する。また、時刻・位置情報抽出部１０３は、無線部１０２から入力した受信信号に含まれている位置情報を抽出して、抽出した位置情報を時刻・位置情報記憶部１０４へ出力する。また、時刻・位置情報抽出部１０３は、無線部１０２から入力した受信信号に位置情報が含まれていない場合には、位置情報が含まれていない旨の情報を周辺セル情報抽出部９０１へ出力する。そして、時刻・位置情報抽出部１０３は、受信信号に時刻情報及び位置情報が含まれている場合には時刻情報及び位置情報を抽出した後の受信信号を周辺セル情報抽出部９０１へ出力し、受信信号に時刻情報及び位置情報が含まれていない場合には無線部１０２から入力した受信信号をそのまま周辺セル情報抽出部９０１へ出力する。
【００６９】
周辺セル情報抽出部９０１は、時刻・位置情報抽出部１０３から入力した受信信号に含まれている周辺セル情報を抽出して圏外判定部１０５へ出力する。また、周辺セル情報抽出部９０１は、位置情報が含まれていない旨の情報が時刻・位置情報抽出部１０３から入力した場合には、入力した位置情報が含まれていない旨の情報をそのまま圏外判定部１０５へ出力する。
【００７０】
圏外判定部１０５は、周辺セル情報抽出部９０１から位置情報が含まれていない旨の情報が入力した場合で且つ通信端末装置の位置が特定できない旨の情報である基地局情報が他の基地局装置から制御局等の上位局経由にて入力した場合には、周辺セル情報抽出部９０１から入力した周辺セル情報をユーザの状態判定部９０２へ出力する。
【００７１】
ユーザの状態判定部９０２は、圏外判定部１０５から周辺セル情報が入力した場合に、時刻・位置情報記憶部１０４に対して時刻情報及び位置情報の出力を指示する。また、ユーザの状態判定部９０２は、圏外判定部１０５から入力した周辺セル情報に基づいて、接続要求先の通信端末装置が通信圏外に居るのかまたは電源をＯＦＦにしたのかを判定する。即ち、ユーザの状態判定部９０２は、圏外判定部１０５から入力した周辺セル情報がセル内の通信圏外に近い場所に居る情報である場合には通信圏外に居るものと判断し、圏外判定部１０５から入力した周辺セル情報がセル内の通信圏外から遠い場所に居る情報である場合には電源をＯＦＦにしたものと判断する。そして、ユーザの状態判定部９０２は、接続要求先の通信端末装置が通信圏外に居るものと判断した場合に、時刻・位置情報記憶部１０４に対して時刻情報及び位置情報の出力を指示し、電源をＯＦＦにしたものと判断した場合に、電源ＯＦＦ情報生成部９０３に対して、電源をＯＦＦにしている旨の情報である電源ＯＦＦ情報を生成するように指示する。
【００７２】
時刻・位置情報記憶部１０４は、時刻・位置情報抽出部１０３から入力した時刻情報及位置情報を記憶する。そして、時刻・位置情報記憶部１０４は、時刻情報及び位置情報の出力をユーザの状態判定部９０２から指示された場合に、記憶している時刻情報及び位置情報を移動状態推定部１０６へ出力する。この場合、時刻・位置情報記憶部１０４は、記憶している時刻情報及び位置情報の内、同一の通信端末装置について、最新の時刻の時刻情報及び最新の時刻における位置情報から順次時間を遡った複数の時刻情報及び位置情報を移動状態推定部１０６へ出力する。
【００７３】
電源ＯＦＦ情報生成部９０３は、ユーザの状態判定部９０２から電源ＯＦＦ情報の生成を指示された場合に電源ＯＦＦ情報を生成する。そして、電源ＯＦＦ情報生成部９０３は、接続要求信号が入力した場合に、生成した電源ＯＦＦ情報を外部出力部１０８へ出力するとともに、電源ＯＦＦ情報を出力した旨の情報を電源ＯＦＦ時設定部９０４へ出力する。
【００７４】
電源ＯＦＦ時設定部９０４は、電源ＯＦＦ時に端末情報を通知するか否かをあらかじめ設定しておくことが可能である。また、電源ＯＦＦ時設定部９０４は、電源ＯＦＦ時に端末情報を通知する設定の場合でかつ電源ＯＦＦ情報生成部９０３から電源ＯＦＦ情報を出力した旨の情報が入力した場合に、移動状態推定部１０６に対して、端末情報の出力を指示する。一方、電源ＯＦＦ時設定部９０４は、電源ＯＦＦ時に端末情報を通知しない設定の場合でかつ電源ＯＦＦ情報生成部９０３から電源ＯＦＦ情報を出力した旨の情報が入力した場合に、移動状態推定部１０６に対して、端末情報を出力しないように指示する。また、電源ＯＦＦ時設定部９０４は、現在設定されている電源ＯＦＦ時に端末情報を通知するか否かの状態の情報を設定状態情報生成部９０５へ出力する。
【００７５】
移動状態推定部１０６は、時刻・位置情報記憶部１０４から入力した複数の時刻情報及び複数の位置情報に基づいて、移動状態を推定する。そして、移動状態推定部１０６は、電源ＯＦＦ時設定部９０４の指示に従って、推定した移動状態の情報である端末情報を端末情報記憶部１０７へ出力する。具体的には、移動状態推定部１０６は、電源ＯＦＦ時設定部９０４から端末情報の出力を指示された場合には端末情報を端末情報記憶部１０７へ出力し、電源ＯＦＦ時設定部９０４から端末情報を出力しないように指示された場合には、端末情報を端末情報記憶部１０７へは出力しない。
【００７６】
状態判定手段である設定状態情報生成部９０５は、電源ＯＦＦ時設定部９０４から入力した現在設定されている電源ＯＦＦ時に端末情報を通知するか否かの状態の情報に基づいて、接続要求先の通信端末装置に通知するための情報でかつ電源ＯＦＦ時に端末情報を通知するか否かの状態の情報である設定状態情報を生成して外部出力部１０８へ出力する。
【００７７】
外部出力部１０８は、端末情報記憶部１０７から入力した端末情報を出力する。外部出力部１０８から出力された端末情報は、図示しない送信手段を用いて接続要求元の通信端末装置へ通知されることにより、接続要求元の通信端末装置は通信圏外に居る通信端末装置の移動状態を推定することができる。また、外部出力部１０８は、電源ＯＦＦ情報生成部９０３から入力した電源ＯＦＦ情報を出力する。外部出力部１０８から出力された電源ＯＦＦ情報は、図示しない送信手段を用いて接続要求元の通信端末装置へ通知されることにより、接続要求元の通信端末装置は接続要求先の通信端末装置が電源をＯＦＦにしていることを知ることができる。また、外部出力部１０８は、設定状態情報生成部９０５から入力した設定状態情報を出力する。外部出力部１０８から出力された設定状態情報は、図示しない送信手段を用いて接続要求先の通信端末装置へ送信されることにより、接続要求先の通信端末装置の所有者は、電源ＯＦＦにした際に自分の端末情報が他人に通知されるのか否かを知ることができる。
【００７８】
次に、基地局装置９００の動作について説明する。最初に、基地局装置９００は、時刻・位置情報抽出部１０３にて、時刻情報及び位置情報を抽出して、時刻・位置情報記憶部１０４にて、抽出した時刻情報及び位置情報を記憶する。また、基地局装置９００は、周辺セル情報抽出部９０１にて、受信信号に含まれている周辺セル情報を抽出する。一方、基地局装置９００は、位置情報が受信信号に含まれていない場合には、通信端末装置が通信圏外に居る可能性があるため、圏外判定部１０５からユーザの状態判定部９０２へ周辺セル情報を出力する。
【００７９】
次に、基地局装置９００は、ユーザの状態判定部９０２から時刻・位置情報記憶部１０４に対して、記憶している時刻情報及び位置情報を出力するように指示し、時刻・位置情報記憶部１０４は、記憶している時刻情報及び位置情報を出力する。そして、基地局装置９００は、移動状態推定部１０６にて、時刻情報及び位置情報に基づいて移動状態を推定する。一方、基地局装置９００は、ユーザの状態判定部９０２にて、圏外判定部１０５から入力した周辺セル情報がセル内の通信圏外から遠い場所に居る情報である場合には電源をＯＦＦにしたものと判断し、電源ＯＦＦ情報生成部９０３にて、電源ＯＦＦ情報を生成する。この時、基地局装置９００は、電源ＯＦＦ時設定部９０４にて、電源ＯＦＦ情報とともに端末情報も通知する設定になっている場合には、端末情報記憶部１０７に記憶されている端末情報を外部出力部１０８へ出力する。
【００８０】
次に、基地局装置９００は、外部出力部１０８より、端末情報または電源ＯＦＦ情報を出力する。また、基地局装置９００は、外部出力部１０８より、電源ＯＦＦ時設定部９０４の設定状態情報を出力する。
【００８１】
図１０は、従来の基地局装置と本実施の形態６の基地局装置９００との相違を示す図である。
【００８２】
このように、本実施の形態６によれば、上記実施の形態１及び実施の形態５の効果に加えて、電源ＯＦＦ時に端末情報を通知するか否かを選択して設定することができるので、接続要求先の通信端末装置の電源がＯＦＦの場合でも、必要に応じて、接続要求元で接続対象の通信端末装置の所在地を知ることができる。
【００８３】
（実施の形態７）
図１１は、本発明の実施の形態７に係る基地局装置１１００の構成を示すブロック図である。
【００８４】
本実施の形態７に係る基地局装置１１００は、図９に示す実施の形態６に係る基地局装置９００において、図１１に示すように、受信電力測定部１１０１を追加する。なお、図１１においては、図９と同一構成である部分には同一の符号を付してその説明は省略する。
【００８５】
時刻・位置情報抽出部１０３は、無線部１０２から入力した受信信号に含まれている時刻情報を抽出して、抽出した時刻情報を時刻・位置情報記憶部１０４へ出力する。また、時刻・位置情報抽出部１０３は、無線部１０２から入力した受信信号に含まれている位置情報を抽出して、抽出した位置情報を時刻・位置情報記憶部１０４へ出力する。また、時刻・位置情報抽出部１０３は、無線部１０２から入力した受信信号に位置情報が含まれていない場合には、位置情報が含まれていない旨の情報を周辺セル情報抽出部９０１へ出力する。そして、時刻・位置情報抽出部１０３は、受信信号に時刻情報及び位置情報が含まれている場合には時刻情報及び位置情報を抽出した後の受信信号を周辺セル情報抽出部９０１及び受信電力測定部１１０１へ出力し、受信信号に時刻情報及び位置情報が含まれていない場合には無線部１０２から入力した受信信号をそのまま周辺セル情報抽出部９０１及び受信電力測定部１１０１へ出力する。
【００８６】
受信電力測定部１１０１は、時刻・位置情報抽出部１０３から入力した受信信号の受信電力を測定し、測定結果を移動状態推定部１０６へ出力する。
【００８７】
移動状態推定部１０６は、受信電力測定部１１０１から入力した測定結果と、時刻・位置情報記憶部１０４から入力した複数の時刻情報及び複数の位置情報とに基づいて、移動状態を推定する。例えば、移動状態推定部１０６は、受信電力の測定結果がしきい値未満の場合には通信圏外に居る可能性が高いものと判断して、時刻情報及び位置情報に基づいて推定した移動状態を補正する。また、移動状態推定部１０６は、受信電力の測定結果がしきい値以上の場合には通信圏内に居る可能性が高いものと判断して、時刻情報及び位置情報に基づいて推定した移動状態を補正する。そして、移動状態推定部１０６は、電源ＯＦＦ時設定部９０４の指示に従って、推定した移動状態の情報である端末情報を端末情報記憶部１０７へ出力する。具体的には、移動状態推定部１０６は、電源ＯＦＦ時設定部９０４から端末情報の出力を指示された場合には端末情報を端末情報記憶部１０７へ出力し、電源ＯＦＦ時設定部９０４から端末情報を出力しないように指示された場合には、端末情報を端末情報記憶部１０７へは出力しない。なお、上記に限らず、受信電力の測定値結果と接続要求先の通信端末装置までの距離とを関係付けた移動状態補正情報を記憶しておいて、測定結果を用いて移動状態補正情報を参照することにより接続要求先の通信端末装置までの距離を選択して、選択した距離を移動状態の推定の補正に用いても良い。なお、基地局装置１１００の動作は、受信電力の測定結果を用いて移動状態を推定する以外は上記実施の形態６の動作と同一であるので、その説明は省略する。
【００８８】
このように、本実施の形態７によれば、上記実施の形態１及び実施の形態６の効果に加えて、受信電力の測定結果を用いて移動状態を推定するので、移動状態の推定精度を向上させることができる。
【００８９】
（実施の形態８）
図１２は、本発明の実施の形態８に係る基地局装置１２００の構成を示すブロック図である。
【００９０】
本実施の形態８に係る基地局装置１２００は、図９に示す実施の形態６に係る基地局装置９００において、図１２に示すように、指向性アンテナ１２０１、指向性制御部１２０２及び指向性アンテナ情報記憶部１２０３を追加する。なお、図１２においては、図９と同一構成である部分には同一の符号を付してその説明は省略する。
【００９１】
指向性アンテナ１２０１は、複数のアンテナ素子１２０１−１〜１２０１−ｎ（ｎは２以上の整数）を備えており、後述する指向性制御部１２０２の制御に基づいて、複数のアンテナ素子１２０１−１〜１２０１−ｎにて指向性を設けて信号を受信し、受信信号を無線部１０２へ出力する。
【００９２】
無線部１０２は、指向性アンテナ１２０１から入力した受信信号を無線周波数からベースバンド周波数にダウンコンバートして指向性制御部１２０２へ出力する。
【００９３】
指向性制御部１２０２は、指向性アンテナ１２０１の各アンテナ素子１２０１−１〜１２０１−ｎにて指向性を設けてデータを受信できるように指向性を制御する。そして、指向性制御部１２０２は、無線部１０２から入力した受信信号を時刻・位置情報抽出部１０３へ出力する。また、指向性制御部１２０２は、指向性を制御した結果の情報である指向性アンテナ情報を生成して、生成した指向性アンテナ情報を指向性アンテナ情報記憶部１２０３へ出力する。
【００９４】
指向性アンテナ情報記憶部１２０３は、指向性制御部１２０２から時間差で入力した複数の指向性アンテナ情報を記憶し、記憶している指向性アンテナ情報を所定のタイミングにて移動状態推定部１０６へ出力する。
【００９５】
時刻・位置情報抽出部１０３は、指向性制御部１２０２から入力した受信信号に含まれている時刻情報を抽出して、抽出した時刻情報を時刻・位置情報記憶部１０４へ出力する。また、時刻・位置情報抽出部１０３は、指向性制御部１２０２から入力した受信信号に含まれている位置情報を抽出して、抽出した位置情報を時刻・位置情報記憶部１０４へ出力する。また、時刻・位置情報抽出部１０３は、指向性制御部１２０２から入力した受信信号に位置情報が含まれていない場合には、位置情報が含まれていない旨の情報を周辺セル情報抽出部９０１へ出力する。そして、時刻・位置情報抽出部１０３は、受信信号に時刻情報及び位置情報が含まれている場合には時刻情報及び位置情報を抽出した後の受信信号を周辺セル情報抽出部９０１へ出力し、受信信号に時刻情報及び位置情報が含まれていない場合には無線部１０２から入力した受信信号をそのまま周辺セル情報抽出部９０１へ出力する。
【００９６】
移動状態推定部１０６は、指向性アンテナ情報記憶部１２０３から入力した指向性アンテナ情報と、時刻・位置情報記憶部１０４から入力した複数の時刻情報及び複数の位置情報とに基づいて、移動状態を推定する。そして、移動状態推定部１０６は、電源ＯＦＦ時設定部９０４の指示に従って、端末情報を端末情報記憶部１０７へ出力する。具体的には、移動状態推定部１０６は、電源ＯＦＦ時設定部９０４から端末情報の出力を指示された場合には端末情報を端末情報記憶部１０７へ出力し、電源ＯＦＦ時設定部９０４から端末情報を出力しないように指示された場合には、端末情報を端末情報記憶部１０７へは出力しない。なお、基地局装置１２００の動作は、指向性アンテナ情報を用いて移動状態の推定を行う以外は上記実施の形態９の基地局装置９００の動作と同一であるので、その説明は省略する。
【００９７】
このように、本実施の形態８によれば、上記実施の形態１及び実施の形態６の効果に加えて、指向性アンテナ情報を用いて移動状態を推定するので、移動状態の推定精度を向上させることができる。
【００９８】
（実施の形態９）
図１３は、本発明の実施の形態９に係る基地局装置１３００の構成を示すブロック図である。
【００９９】
本実施の形態９に係る基地局装置１３００は、図１に示す実施の形態１に係る基地局装置１００において、図１３に示すように、圏外経過時間測定部１３０１及びメッセージ作成部１３０２を追加する。なお、図１３においては、図１と同一構成である部分には同一の符号を付してその説明は省略する。
【０１００】
圏外判定部１０５は、時刻・位置情報抽出部１０３から位置情報が含まれていない旨の情報が入力した場合で且つ通信端末装置の位置が特定できない旨の情報である端末情報が他の基地局装置から制御局等の上位局経由にて入力した場合には、通信端末装置が通信圏外に居るものと判断して、時刻・位置情報記憶部１０４に対して時刻情報及び位置情報の出力を指示するとともに、圏外経過時間測定部１３０１に対して時間の計測の開始を指示する。
【０１０１】
圏外経過時間測定部１３０１は、圏外判定部１０５から時間の計測の開始を指示された場合に、時間の計測を開始する。そして、圏外経過時間測定部１３０１は、接続要求信号が入力した場合に、計測している時間が所定時間経過する毎に、計測を開始した時刻からの経過した時間の情報である経過時間情報をメッセージ作成部１３０２へ出力する。
【０１０２】
メッセージ作成部１３０２は、経過時間とメッセージ内容とを関係付けたメッセージ選択情報を記憶している。メッセージ作成部１３０２は、圏外経過時間測定部１３０１から入力した経過時間情報の経過時間を用いてメッセージ選択情報を参照することによりメッセージを選択する。そして、メッセージ作成部１３０２は、選択したメッセージを通知するためのメッセージデータを作成して外部出力部１０８へ出力する。
【０１０３】
外部出力部１０８は、端末情報記憶部１０７から入力した端末情報及びメッセージ作成部１３０２から入力したメッセージデータを出力する。外部出力部１０８から出力された端末情報及びメッセージデータは、図示しない送信手段を用いて接続要求元の通信端末装置へ送信されることにより、接続要求元の通信端末装置は通信圏外に居る通信端末装置の移動状態を推定することができるとともに、メッセージの内容を聞くことができる。
【０１０４】
次に、基地局装置１３００の動作について説明する。最初に、基地局装置１３００は、時刻・位置情報抽出部１０３にて、時刻情報及び位置情報を抽出して、時刻・位置情報記憶部１０４にて、抽出した時刻情報及び位置情報を記憶する。一方、基地局装置１３００は、位置情報が受信信号に含まれていない場合で且つ通信端末装置の位置が特定できない旨の情報である基地局情報が他の基地局装置から上位局経由にて入力した場合には、圏外判定部１０５にて、通信端末装置は通信圏外に居るものと判断する。そして、圏外判定部１０５は、時刻・位置情報記憶部１０４に対して、記憶している時刻情報及び位置情報を出力するように指示し、時刻・位置情報記憶部１０４は、記憶している時刻情報及び位置情報を出力する。次に、基地局装置１３００は、移動状態推定部１０６にて、時刻情報及び位置情報に基づいて移動状態を推定する。
【０１０５】
一方、基地局装置１３００は、圏外判定部１０５にて通信圏外と判定された場合には、圏外経過時間測定部１３０１にて、圏外と判定された時刻からの経過時間を測定する。そして、基地局装置１３００は、メッセージ作成部１３０２にて、経過時間に応じたメッセージを選択してメッセージデータを作成する。
【０１０６】
基地局装置１３００は、外部出力部１０８より、端末情報及びメッセージデータを出力する。
【０１０７】
図１４（ａ）〜図１４（ｃ）は、メッセージ作成部１３０２にて選択されるメッセージを示す図である。例えば、メッセージ作成部１３０２は、通信圏外と判定した時刻から２時間経過した場合には、図１４（ａ）に示すように「１０時１５分に○○辺りで圏外となりました・・・」というメッセージを出力し、通信圏外と判定した時刻から７時間経過した場合には、図１４（ｂ）に示すように「７時間前に○○辺りで圏外です。道に迷っている可能性があります。」というメッセージを出力し、さらに通信圏外と判定した時刻から７２時間（３日）経過した場合には、図１４（ｃ）に示すように「３日前に○○辺りで圏外です。捜索願いを出されてはどうでしょう」というメッセージを出力する。このように、時間の経過とともに、逼迫した内容のメッセージを出力する。
【０１０８】
このように、本実施の形態９によれば、上記実施の形態１の効果に加えて、通信圏外と判定した時刻からの経過時間に応じたメッセージを通知することにより、接続要求元の通信端末装置に対して注意を喚起することができる。
【０１０９】
なお、本実施の形態９において、時間の経過とともに逼迫した内容のメッセージを通知するようにしたが、これに限らず、接続要求元の通信端末装置が接続要求先の通信端末装置の所有者の所在地を薄々知っているような場合には、「詳細な位置等を知りたい場合はシャープを押してください」等のメッセージを通知して、気になる人にのみ詳細なメッセージを流すようにしても良い。この場合、詳細な情報を求めない接続要求元の通信端末装置には簡単なメッセージを通知するので、通話料を安くすることができる。
【０１１０】
（実施の形態１０）
図１５は、本発明の実施の形態１０に係る通信システム１５００を示す図である。通信システム１５００は、制御局１５０１と基地局１５０２と通信端末装置１５０３、１５０４とから構成される。図１５において、通信端末装置１５０４は通信圏外に移動しており、通信端末装置１５０３は通信端末装置１５０４との接続を要求している。
【０１１１】
また、制御局１５０１は、上記実施の形態１〜実施の形態９の基地局装置の代わりに、上記実施の形態１〜実施の形態９の基地局装置の各構成と同一の構成を有するものであり、外部入力装置１５１０と外部出力装置１５１１と中央処理装置１５１２と時刻・位置情報記憶部１５１３とを具備する。時刻・位置情報記憶部１５１３は、上記実施の形態１〜実施の形態９の時刻・位置情報記憶部１０４と同一の機能を有するとともに同一の動作を行う。また、外部出力装置１５１１は、上記実施の形態１〜実施の形態９の外部出力部１０８と同一の機能を有するとともに同一の動作を行う。また、中央処理装置１５１２は、上記実施の形態１〜実施の形態９のアンテナ１０１、１２０１、無線部１０２、時刻・位置情報記憶部１０４、外部出力部１０８、指向性制御部１２０２以外の各構成と同一の構成を含んでいる。
【０１１２】
このように、本実施の形態１０によれば、通信圏外の通信端末装置との通話を希望する者は、通信端末装置の持ち主がどこへ向かったのか、または現在どの辺りにいるのかを推測することができる。
【０１１３】
なお、上記実施の形態１〜実施の形態１０において、位置情報により接続要求先の通信端末装置の位置が特定できない場合とは、時刻・位置情報抽出部１０３から位置情報が含まれていない旨の情報が入力した場合であるものとしたが、これに限らず、位置情報により接続要求先の通信端末装置の位置が特定できない場合とは、何らかの手段により通信圏外である旨の情報を受け取った場合であるものとしても良く、任意の方法で通信圏外であることを判定することができる。
【産業上の利用可能性】
【０１１４】
本発明にかかる基地局装置及び通信端末装置の移動方向通知方法は、例えば通信圏外に移動後の通信端末装置の移動方向の情報を他の通信端末装置に提供するのに好適である。
【図面の簡単な説明】
【０１１５】
【図１】本発明の実施の形態１に係る基地局装置の構成を示すブロック図
【図２】本発明の実施の形態１に係る基地局装置と従来の基地局装置との相違を示す図
【図３】本発明の実施の形態２に係る基地局装置の構成を示すブロック図
【図４】本発明の実施の形態２に係る通信端末装置が通信圏内から通信圏外へ移動する様子を示す図
【図５】本発明の実施の形態３に係る基地局装置の構成を示すブロック図
【図６】本発明の実施の形態４に係る基地局装置の構成を示すブロック図
【図７】本発明の実施の形態５に係る基地局装置の構成を示すブロック図
【図８】本発明の実施の形態５に係る基地局装置と従来の基地局装置との相違を示す図
【図９】本発明の実施の形態６に係る基地局装置の構成を示すブロック図
【図１０】本発明の実施の形態６に係る基地局装置と従来の基地局装置との相違を示す図
【図１１】本発明の実施の形態７に係る基地局装置の構成を示すブロック図
【図１２】本発明の実施の形態８に係る基地局装置の構成を示すブロック図
【図１３】本発明の実施の形態９に係る基地局装置の構成を示すブロック図
【図１４】本発明の実施の形態９に係る基地局装置から通知されるメッセージを示す図
【図１５】本発明の実施の形態１０に係る通信システムを示す図
【符号の説明】
【０１１６】
１００  基地局装置
１０１  アンテナ
１０２  無線部
１０３  時刻・位置情報抽出部
１０４  時刻・位置情報記憶部
１０５  圏外判定部
１０６  移動状態推定部
１０７  端末情報記憶部
１０８  外部出力部
【図１】
2007116330.tif 000003
【図２】
2007116330.tif 000004
【図３】
2007116330.tif 000005
【図４】
2007116330.tif 000006
【図５】
2007116330.tif 000007
【図６】
2007116330.tif 000008
【図７】
2007116330.tif 000009
【図８】
2007116330.tif 000010
【図９】
2007116330.tif 000011
【図１０】
2007116330.tif 000012
【図１１】
2007116330.tif 000013
【図１２】
2007116330.tif 000014
【図１３】
2007116330.tif 000015
【図１４】
2007116330.tif 000016
【図１５】
2007116330.tif 000017